(57)【要約】【課題】スリープモードまたはアイドルモードから動作モード状態に復帰する際に、記録媒体上への誤書き込みおよびこれによる記録ずみ情報の破壊を回避可能にできる。【解決手段】スリープモードまたはアイドルモードの解除時にライトドライバ回路１８の各スイッチ素子１３〜１６への制御入力が安定するまで、ライトドライバ回路１８への電源供給を停止または遅らせる電源供給制御手段２７とを備える。【選択図】　　　図１
2004095053.tif 000002
【特許請求の範囲】
【請求項１】
スリープモード時またはアイドルモード時にオフとなり、スリープモードまたはアイドルモードの解除のコマンドを受けてオンとなる電源供給用の電源スイッチ素子と、
ブリッジ接続された４つのスイッチ素子にヘッドを接続してなり、前記４つのスイッチ素子の切換動作により前記電源スイッチ素子を通じて前記ヘッドに流れる電流の向きを制御するＨブリッジ形のライトドライバ回路と、
前記電源スイッチ素子と接地端子との間に前記ライトドライバ回路を介して接続した制御スイッチ素子と、
前記４つのスイッチ素子に対し選択的にライトデータを入力するプリドライバと、
ライトモード時に該プリドライバによる前記スイッチ素子へのライトデータの切り換えおよび前記制御スイッチ素子のオンへの切り換えを制御するライトゲート論理回路と、
前記スリープモードまたはアイドルモードの解除時に、前記ライトドライバ回路の各スイッチ素子への切り換え入力が安定するまで前記ライトドライバ回路への電源供給を停止または遅らせる電源供給制御手段と、
を備えたことを特徴とするリードライトアンプ。
【請求項２】
前記電源供給制御手段が、前記電源スイッチ素子の出力側に接続されて、該電源スイッチのオン時の前記ライトドライバ回路への入力電流の立上りを抑制するコンデンサであることを特徴とする請求項１に記載のリードライトアンプ。
【請求項３】
前記ライトドライバ回路への入力電流の立上り時間を１００ｎｓ以上にしたことを特徴とする請求項２に記載のリードライトアンプ。
【請求項４】
前記電源供給制御手段は、前記ライトゲート論理回路の出力がアクティブでないとき、前記ヘッドの両端をショートするスイッチであることを特徴とする請求項１に記載のリードライトアンプ。
【請求項５】
前記電源供給制御手段が、前記スリープモードまたはアイドルモードにおいても、前記電源スイッチ素子をバイパスして前記プリドライバおよびライトゲート論理回路に電源を供給する電源バイパス回路であることを特徴とする請求項１に記載のリードライトアンプ。
【請求項６】
前記ライトドライバ回路に電源を供給する前記電源スイッチ素子とは独立して設けられ、前記プリドライバおよびライトゲート論理回路に電源を供給する制御回路用電源スイッチ素子と、
スリープモードまたはアイドルモードの解除のコマンドを受けて、前記プリドライバ用電源スイッチ素子のオン動作に続いて、これより一定期間遅れた前記電源スイッチ素子のオン動作をそれぞれ制御するタイミング制御回路と、
を備えたことを特徴とする請求項１に記載のリードライトアンプ。
【請求項７】
請求項１〜請求項６のいずれかに記載のリードライトアンプを備えたことを特徴とするディスク装置。
【請求項８】
リードライトアンプのスリープモードまたはアイドルモードの解除時に、ヘッドを接続したライトドライバ回路のスイッチ素子への制御入力が安定するまで、該ライトドライバ回路への電源供給を停止または遅延させることを特徴とするリードライトアンプの制御方法。
【発明の詳細な説明】
【０００１】
【発明の属する技術分野】
本発明は、磁気ディスクなどの記録媒体に対する誤書き込みを防止するためのリードライトアンプおよびその制御方法、ならびにリードライトアンプを有するディスク装置に関する。
【０００２】
【従来の技術】
従来の磁気ディスク装置は例えば図６に示すように構成されており、磁気ディスク１を回転駆動するスピンドルモータ２と、磁気ディスク１の両サイドに磁気ヘッド３を配置する支持アーム４とを備え、支持アーム４はボイスコイルモータ５により駆動されて磁気ヘッド３を磁気ディスク１の半径方向へ移動させる。また、前記スピンドルモータ２およびボイスコイルモータ５はそれぞれ制御部であるＣＰＵ６からの制御信号を受けて動作するモータドライバ７、８によりそれぞれ駆動制御される。
【０００３】
また、磁気ヘッド３には、これにより読み出されたリード信号を増幅し、一方ライトデータをライト電流に変換するプリアンプ９が接続され、このプリアンプ９には、Ａ／Ｄ変換処理、ライトデータの符号化処理、リードデータの復号化処理などの信号処理をするリード／ライト（Ｒ／Ｗ）チャネル１０が接続されている。また、ディスクコントローラ（ＨＤＣ）１１はドライブとホストシステムとのインターフェースを構成しており、リード／ライトデータの転送制御などを実行する。
【０００４】
従って、このようなディスク装置は記録モードにおいて前記ディスクコントローラがホストシステムから与えられる記録信号をフォーマット化し、リード／ライトチャネル１０からプリアンプ９を介して磁気ヘッド３に与えて磁気ディスク１に記録を行う。一方、再生モードにおいては、磁気ヘッド３によって磁気ディスク１から読み取った信号がプリアンプ９およびリード／ライトチャネル１０を介してディスクコントローラ１７に与えられ、ここでフォーマット変更が行われてホストシステムへと送出される。
【０００５】
ところで、このような磁気ディスク装置のうち、特にモバイル仕様の小形の磁気ディスク装置では低消費電力であることが、重要な性能指標の一つとなっている。そして、このような低消費電力を達成するため、リード／ライト動作を行っていないときには不要な回路への電源供給を断つことが通常行われており、磁気ヘッドから読み出された信号を増幅したり、磁気ヘッドに書き込み電流を供給したりするリードライトアンプについてもこのような機能を備えているのが通常である。
【０００６】
たとえば、一般的なモバイル型の磁気ディスク装置に使用されるリードライトアンプにおいては、スリープモード、アイドルモード、リード（再生）モード、ライト（記録）モードでの各消費電力をそれぞれ１０ｍＷ、１１０ｍＷ、１８５ｍＷ、４９０ｍＷとしたものがある。これによれば、リードやライトの動作を行っていないときにリードライトアンプをアイドルモード、あるいはスリープモードに設定することで、消費電力を大幅に低減できる。
【０００７】
前記のような磁気ディスク装置では、ホストインタフェースから一定期間コマンドが発生されないのを検出すると、不要な回路の電源を停止するために、リード／ライトチャネル、リードライトアンプへアイドルモードまたはスリープモードに移れという命令を発行する。スリープモード時はスリープモードを解除するコマンドを受け付けるためのシリアルデータ回路のみに電源が供給されるので、消費電力を非常に小さくすることができる。
【０００８】
しかし、スリープモードからリード／ライト動作が安定にできるまでの時間が長くなる。一方、アイドルモードではリード／ライト動作への回復時間はスリープモードと比べると短いが、そのためにシリアルデータ回路以外の一部の回路、例えばＭＲヘッドのバイアス回路等に電源を供給し続けているので、消費電力はスリープモードと比較すると大きい。なおリードライトアンプと中央演算装置（以下、ＣＰＵという。ここではハードディスクコントローラの場合もありうる）のコマンドのやり取りはシリアル転送で行われる。
【０００９】
図７はこのような従来の磁気ヘッド装置におけるリードライトアンプ（プリアンプ）を示す回路図であり、ここでは本発明に関係する部分を示す。同図において、電源にはスリープモード時またはアイドルモード時にオフとなる電源供給用の電源スイッチ素子としてのトランジスタ１１が接続されており、これがスリープモードまたはアイドルモードの解除のコマンドをシリアルインタフェース回路１２を介して受けてオンとなる。
【００１０】
また、トランジスタ１１の出力側（コレクタ）にはブリッジ接続された４つのスイッチ素子であるトランジスタ１３、１４、１５、１６に磁気ヘッド３を接続したＨブリッジ形のライトドライバ回路１８が接続されている。このライトドライバ回路１８はトランジスタ１３〜１５の切換動作により磁気ヘッド３に流れる電流の向きを切り換える。
【００１１】
前記トランジスタ１１と接地端子１９との間にはライトドライバ回路１８を介して抵抗２４と制御スイッチ素子としてのトランジスタ２０が直列接続されている。また、各トランジスタ１３、１４のベースである各制御入力端子にはプリドライバ２１の極性反転された２つの出力端子がそれぞれ接続され、一方、トランジスタ１５、１６のベースである制御入力端子にはプリドライバ２２の極性反転された２つの出力端子がそれぞれ接続されている。なお、これらのプリドライバ２１、２２にはそれぞれ２入力のライトデータが接続される。
【００１２】
さらに、各プリドライバ２１、２２の制御入力端子と前記制御スイッチ素子であるトランジスタ２０のベースにはライトゲート信号を出力するライトゲート論理回路２３が接続されている。なお、ライトドライバ回路１８、プリドライバ２１、２２およびライトゲート論理回路２３には、前記トランジスタ１１を介して電源電圧が供給される。図７では磁気ディスク装置のライト回路部分のみを示してあるが、トランジスタ１１の出力側にはリードアンプ系回路が接続されて、全体としてリードライトアンプが構成されている。
【００１３】
このようなリードライトアンプでは、図示しないメインプリント回路基板上のＣＰＵからスリープ信号（命令）がシリアルデータとして転送されると、スリープ信号ａがハイレベルとなり、トランジスタ１１をオフにする。これによってトランジスタ１１のコレクタ側に接続されている回路への電源供給が停止され、低消費電力が達成される。
【００１４】
一方、ライトモード時にはスリープモードは解除され、スリープ信号ａがロウレベルとなる。このため、トランジスタ１１がオンになり、ライトドライバ回路１８およびプリドライバ２１、２２に電源が供給される。また、ライトゲート論理回路２３のライトゲート信号がアクティブとなり、トランジスタ１９がオンとなる。このとき、ライトデータの極性によってトランジスタ１３→磁気ヘッド３→トランジスタ１６→抵抗２４→トランジスタ２０→接地端子１９、またはトランジスタ１４→磁気ヘッド３→トランジスタ１５→抵抗２４→トランジスタ２０→接地端子１９の順に電流が流れ、ライトデータの記録が磁気ディスクに対して行われる。なお、ライトゲート信号がアクティブでないと、トランジスタ２０はオンにならないため、電流経路が断たれ、磁気ヘッド３には電流が流れない。
【００１５】
【発明が解決しようとする課題】
しかしながら、従来のリードライトアンプにあっては、図８に示すように磁気ヘッド３に接続するフレキシブルケーブルの浮遊容量、磁気ヘッドの浮遊容量を合わせた１０ｐＦ程度の容量（Ｃｍ，Ｃｐ）をチャージするための電流が、前記スリープモードから動作モードに移行する瞬間に磁気ヘッド３に流れ込む可能性がある。このため、従って、ライトモードでないにも拘らず、磁気ヘッド３によって記録媒体上にノイズの誤書き込みを行い、記録ずみの情報を破壊してしまうおそれがあった。
【００１６】
すなわち、通常はライトゲート信号がアクティブでない場合には、ライトドライバ回路１８のトランジスタ１３、１４はともにオフになるように、プリドライバ２１にはイネーブル信号が入力されているものの、スリープモードから動作モードに移るとき、トランジスタ１１を介して電源が供給された直後はライトゲート論理回路２３の動作が安定せず、トランジスタ１３がオフ、トランジスタ１４がオンとなるような状態が発生すると、前記浮遊容量Ｃｍに電流が流れ込んでチャージされる。いま、トランジスタ１１、１４のオン抵抗を合計５０Ω、磁気ヘッド３のインダクタンスを５０ｎＨとすると、浮遊容量Ｃｍに流れる電流はトランジスタ１１の立上り速度に依存し、その立上り時間を５ｎＳとすると、図９に示すように、ピークで１３ｍＡ程度の電流が浮遊容量Ｃｍがチャージされる。
【００１７】
この電流値は記録能力の高い最近の磁気ヘッドでは記録媒体上に情報を誤書き込みするのに十分に大きなレベルであり、このため前記のような情報の破壊を招くおそれがある。また、前記同様な理由でライトゲート信号がアクティブでないにも拘らず、トランジスタ２０がオンになり、瞬間的に通常の記録電流が流れてしまい、情報の破壊を招く場合も考えられる。
【００１８】
本発明は前記のような問題を解決するものであり、スリープモードまたはアイドルモードからリードモードなどの動作状態に復帰する際に記録媒体上への誤書き込みおよびこれによる記録ずみ情報の破壊を回避可能にできるリードライトアンプおよびその制御方法、ならびにディスク装置を得ることを目的とする。
【００１９】
【課題を解決するための手段】
前記目的を達成するために、請求項１の発明にかかるリードライトアンプは、スリープモード時またはアイドルモード時にオフとなり、スリープモードまたはアイドルモードの解除のコマンドを受けてオンとなる電源供給用の電源スイッチ素子と、ブリッジ接続された４つのスイッチ素子にヘッドを接続してなり、前記４つのスイッチ素子の切換動作により前記電源スイッチ素子を通じて前記ヘッドに流れる電流の向きを制御するＨブリッジ形のライトドライバ回路と、前記電源スイッチ素子と接地端子との間に前記ライトドライバ回路を介して接続した制御スイッチ素子と、前記４つのスイッチ素子に対し選択的にライトデータを入力するプリドライバと、ライトモード時に該プリドライバによる前記スイッチ素子へのライトデータの切り換えおよび前記制御スイッチ素子のオンへの切り換えを制御するライトゲート論理回路と、前記スリープモードまたはアイドルモードの解除時に前記ライトドライバ回路の各スイッチ素子への切り換え入力が安定するまで前記ライトドライバ回路への電源供給を停止または遅らせる電源供給制御手段とを備えたことを特徴とする。
【００２０】
これにより、スリープモードまたはアイドルモードから動作モードへの遷移時に、ライトドライバ回路を通じて磁気ヘッドに誤書き込み電流が流れるのを防止することができる。
【００２１】
また、請求項２の発明にかかるリードライトアンプは、前記電源供給制御手段が、前記電源スイッチ素子の出力側に接続されて、該電源スイッチのオン時の前記ライトドライバ回路への入力電流の立上りを抑制するコンデンサであることを特徴とする。これにより、ヘッドを接続するフレキシブルケーブルやヘッドの浮遊容量を充電する電流レベルを抑えることができ、磁気ヘッドによる誤書き込みを防止することができる。
【００２２】
また、請求項３の発明にかかるリードライトアンプは、前記ライトドライバ回路への入力電流の立上り時間を１００ｎｓ以上にしたことを特徴とする。これにより、ヘッドによる誤書き込みをより確実に防止することができる。
【００２３】
また、請求項４の発明にかかるリードライトアンプは、前記電源供給制御手段は、前記ライトゲート論理回路の出力がアクティブでないとき、前記ヘッドの両端をショートするスイッチであることを特徴とする。これによりスリープモードから動作モードへの遷移時におけるヘッドに対する誤書き込み電流を完全に遮断することができる。
【００２４】
また、請求項５の発明にかかるリードライトアンプは、前記電源供給制御手段が、前記スリープモードまたはアイドルモードにおいても、前記電源スイッチ素子をバイパスして前記プリドライバおよびライトゲート論理回路に電源を供給する電源バイパス回路を設けたことを特徴とする。これにより、スリープモードから動作モードへの遷移が安定的に行われ、従って誤書き込みの発生をなくすることができる。
【００２５】
また、請求項６の発明にかかるリードライトアンプは、前記ライトドライバ回路に電源を供給する前記電源スイッチ素子とは独立して設けられ、前記プリドライバおよびライトゲート論理回路に電源を供給する制御回路用電源スイッチ素子と、スリープモードまたはアイドルモードの解除のコマンドを受けて、前記プリドライバ用電源スイッチ素子のオン動作に続いて、これより一定期間遅れた前記電源スイッチ素子のオン動作をそれぞれ制御するタイミング制御回路とを備えたことを特徴とする。これにより、ライトドライバ回路への制御入力が完全に安定した上で、この制御回路とは独立したライトドライバ回路への電源供給を行うことで、前記モード遷移時の誤書き込みを確実に防止できる。
【００２６】
また、請求項７の発明にかかるディスク装置は、前記のようなリードライトアンプを持つことで、ディスクへの誤書き込みによる記録済み情報の破壊を未然に回避できる。
【００２７】
また、請求項８の発明にかかるリードライトアンプの制御方法は、リードライトアンプのスリープモードまたはアイドルモードの解除時に、ヘッドを接続したライトドライバ回路のスイッチ素子への制御入力が安定するまで、該ライトドライバ回路への電源供給を停止または遅延させることを特徴とする。これにより、前記ヘッドに誤書き込み電流が流れることによりディスク上の情報が破壊されるのを防止できる。
【００２８】
【発明の実施の形態】
以下、本発明の実施の形態を図面に基づき説明する。
図１は本発明のディスク装置におけるリードライトアンプ（プリアンプ）を示す回路図であり、ここではライトアンプ系を中心に示してある。同図において、電源にはスリープモード時またはアイドルモード時にオフとなる電源供給用の電源スイッチ素子としてのトランジスタ１１が接続されており、これがスリープモードまたはアイドルモードの解除のコマンドをシリアルインタフェース回路１２を介して受けてオンとなる。また、トランジスタ１１の出力側（コレクタ）にはブリッジ接続された４つのスイッチ素子であるトランジスタ１３、１４、１５、１６に磁気ヘッド３を接続したＨブリッジ形のライトドライバ回路１８が接続されている。このライトドライバ回路１８はトランジスタ１３〜１５の切換動作により磁気ヘッド３に流れる電流の向きを切り換え制御する。
【００２９】
前記トランジスタ１１と接地端子１９との間にはライトドライバ回路１８を介して制御スイッチ素子としてのトランジスタ２０が直列接続されている。また、各トランジスタ１３、１４のベースである各制御入力端子にはプリドライバ２１の極性反転された２つの出力端子がそれぞれ接続され、一方トランジスタ１５、１６のベースである制御入力端子にはプリドライバ２２の極性反転された２つの出力端子がそれぞれ接続されている。なお、これらのプリドライバ２１、２２にはそれぞれ２入力のライトデータが接続される。
【００３０】
さらに、各プリドライバ２１、２２の制御入力端子と前記制御スイッチ素子であるトランジスタ２０のベースにはライトゲート信号を出力するライトゲート論理回路２３が接続されている。なお、ライトドライバ回路１８、プリドライバ２１、２２およびライトゲート論理回路２３には、前記トランジスタ１１を介して電源電圧が供給される。また、電源スイッチ素子の出力側としての前記トランジスタ１１のベース、コレクタ間には、このトランジスタ１１がオンになるときの速度を緩和するコンデンサ２７が接続されている。
【００３１】
このようなリードライトアンプでは、図示しないＣＰＵからスリープ信号がシリアルデータとして転送されると、スリープ信号ａがハイレベルとなり、トランジスタ１１をオフにする。これによってトランジスタ１１のコレクタ側に接続されている回路への電源供給が停止され、低消費電力が達成される。
【００３２】
一方、ライトモード時にはスリープモードは解除され、スリープ信号ａがロウレベルとなる。このため、トランジスタ１１がオンになり、ライトドライバ回路１８およびプリドライバ２１、２２に電源が供給される。また、ライトゲート論理回路２３のライトゲート信号がアクティブとなり、トランジスタ１９がオンとなる。このとき、ライトデータの極性によってトランジスタ１３→磁気ヘッド３→トランジスタ１６→抵抗２４→トランジスタ２０→接地端子１９、またはトランジスタ１４→磁気ヘッド３→トランジスタ１５→抵抗２４→トランジスタ２０→接地端子１９の順に電流が流れ、ライトデータの記録が磁気ディスクに対して行われる。
【００３３】
ところで、前記のようなスリープモードからリードモードなどの動作モードに移行する瞬間においては、前記のように論理回路としてのライトゲート論理回路２３の動作が不安定になっているため、磁気ヘッドに接続されたフレキシブルケーブルおよび磁気ヘッドの浮遊容量にトランジスタ１４を通じて電流が流れ、従って、磁気ヘッド３にもその誤書き込み信号が流れることとなる。
【００３４】
しかしながら、本発明ではトランジスタ１１のベース、コレクタ間にコンデンサ２７を接続したことで、このコンデンサ２７の充電時定数を利用して、コレクタ電流の立上り時間を例えば１００ｎＳに延ばし、その分電流レベルを例えば０．５ｍＡに抑えることができる。この電流値は、磁気ヘッド３に電流が流れても記録媒体上に情報を記録するのに全く不十分な大きさであり、従って、記録媒体上に記録された情報をその誤記録電流によって破壊することはない。なお、前記コンデンサ２７に代えて、またはコンデンサ２７に並べて設置するように、トランジスタ１１のコレクタと接地端子との間にコンデンサ２７Ａを接続することによっても、前記同様にして、スリープモードから動作モードへの移行瞬時におけるコレクタ電流（出力電流）の急峻な立上りを抑制できる。
【００３５】
図２は本発明の実施の他の形態を示す回路図である。この形態では磁気ヘッド３の両端に、ライトゲート論理回路２３のライトゲート信号がアクティブのときにオープンとなりアクティブでないときにショートするスイッチ２８を設けてある。このようにするとスリープモードから動作モードに移行したとき、前記のように磁気ヘッド３に電圧が供給されても、磁気ヘッド３はショート状態であるため、磁気ヘッド３には電流が流れることはない。従って、磁気記録媒体に記録された情報が破壊されることはない。
【００３６】
図３は本発明のさらに他の実施の形態を示す回路図である。この形態では、前記形態がスリープモード時にシリアルデータ回路のみに電源を供給していたのに対し、プリドライバ２１、２２およびライトゲート論理回路２３にも電源バイパス回路２９を介して常時電源を供給している。このようにすることで、プリドライバ２１、２２へのイネーブル信号（ライトゲート信号）は、スリープモードが動作モードへ移行するときのモード遷移に関係なく、安定した出力を保つ。従って、プリドライバ２１、２２の出力はライトドライバ回路１８の全トランジスタ１３〜１６をモード遷移の瞬間でも安定してオフに保つことになる。この結果、磁気ヘッド３に誤記録電流が流れることはない。
【００３７】
図４は本発明の別の実施の形態を示す回路図である。この形態では、前記電源スイッチ素子１１を介してライトドライバ回路１８に電源が供給され、一方、別途追加した制御回路用電源スイッチ素子としてのトランジスタ３０を介して前記プリドライバ２１、２２およびライトゲート論理回路２３に電源が供給される回路構成となっている。また、シリアルインタフェース回路１２の出力側にタイミング制御回路３３が設けられ、図８に示すようなタイミング信号を各トランジスタ１１、３０のベースに入力するようにしている。
【００３８】
従って、この回路では図５に示すように、スリープモードが解除されても、トランジスタ１１のベースに入力される制御信号は一定期間ハイレベルを保持しているものの、トランジスタ３０のベースに入力される制御信号はスリープモードの解除と同時にオフ、つまりローレベルになる。従って、スリープモードが解除されると直ちにライトゲート論理回路２３およびプリドライバ２１、２２に電源が供給される。この結果、モード遷移が不安定でも、トランジスタ１１がオフの状態を維持し、ライトドライバ回路１８の各トランジスタ１３〜１６のいずれにも電源が供給されないので、磁気ヘッドに誤記録電流が流れることはない。
【００３９】
一方、スリープ解除後一定期間をおいてトランジスタ１１のベース電流がローレベルとなる。このため、トランジスタ１１はオンになり、Ｈブリッジ型のライトドライバ回路１８に電源が供給されて動作可能となる。このようにライトドライバ回路１８の制御入力が安定するまでの時間、ライトドライバ回路１８に電源が供給されないようにすることで、モード遷移時における、磁気ヘッド３による磁気記録媒体への誤書き込みを確実に防止することができる。
【００４０】
なお、前記動作状態からスリープモードに移行するときには、図５に示すように、トランジスタ１１をまずオフにしたあと、トランジスタ３０をオフにすることが好ましい。これにより、ライトドライバ回路１８の動作を誤動作なく速やかに停止させることができる。また、前記においては、スリープモードおよび動作モード間の移行時における誤記録防止について述べたが、アイドルモードおよび動作モード間の移行時における誤記録防止についても、本発明の前記各構成を任意に採用することができるものである。
【００４１】
【発明の効果】
以上のように、本発明によれば電源供給制御手段を設けて、スリープモードまたはアイドルモードの解除時にライトドライバ回路の各スイッチ素子への制御入力が安定するまでライトドライバ回路への電源供給を停止または遅らせるようにしたので、スリープモードまたはアイドルモードから動作モードへの遷移時に、ライトドライバ回路を通じて磁気ヘッドに誤書き込み電流が流れるのを防止することができ、また、既に記録ずみの情報が破壊されるのを未然に回避できるという効果が得られる。
【図面の簡単な説明】
【図１】本発明の実施の一形態によるリードライトアンプを示す回路である。
【図２】本発明の実施の他の形態によるリードライトアンプを示す回路である。
【図３】本発明の実施の他の形態によるリードライトアンプを示す回路である。
【図４】本発明の実施の他の形態によるリードライトアンプを示す回路である。
【図５】図４に示す回路各部における信号波形のタイミングチャートである。
【図６】一般的な磁気ディスク装置を示すブロック図である。
【図７】従来のリードライトアンプを示す回路図である。
【図８】従来の他のリードライトアンプを示す回路図である。
【図９】本発明および従来のリードライトアンプのモード遷移時における磁気ヘッド電流レベルを示す説明図である。
【符号の説明】
３・・・・磁気ヘッド、１１・・・・トランジスタ（電源スイッチ素子）、１３〜１６・・・・トランジスタ（スイッチ素子）、１８・・・・ライトドライバ回路、２０・・・・トランジスタ（制御スイッチ素子）、２１，２２・・・・プリドライバ、２３・・・・ライトゲート論理回路、２７，２７Ａ・・・・コンデンサ（電源供給制御手段）、２８・・・・スイッチ（電源供給制御手段）、２９・・・・電源バイパス回路（電源供給制御手段）、３０・・・・トランジスタ（制御回路用電源スイッチ、電源供給制御手段）、３３・・・・タイミング制御回路（電源供給制御手段）
【図１】
2004095053.tif 000003
【図２】
2004095053.tif 000004
【図３】
2004095053.tif 000005
【図４】
2004095053.tif 000006
【図５】
2004095053.tif 000007
【図６】
2004095053.tif 000008
【図７】
2004095053.tif 000009
【図８】
2004095053.tif 000010
【図９】
2004095053.tif 000011